(57)【要約】【課題】ストライカの位置を容易に移動することができるような引き戸のアシスト装置を提供すること。【解決手段】ガイドレール（１）は、当該ガイドレール内において互いに対向するように突出する一対の棚状補助レール（１ａ、１ｂ）を有しており、ストライカ（５）は、一対の棚状支持レール（１ａ、１ｂ）の下面に倣う挟持下部（５ｕ）を有しており、挟持下部（５ｕ）と一対の棚状支持レールの上面に倣う挟持上部材（６）とで一対の棚状補助レール（１ａ、１ｂ）を挟持することにより、ストライカ（５）を一対の棚状支持レール（１ａ、１ｂ）の任意の位置に固定可能である。【選択図】図５
2014098262.tif 000002
【特許請求の範囲】
【請求項１】
戸パネルの移動を案内するガイドレールと、
前記ガイドレールに設けられたストライカと、
前記戸パネルに連結可能であって前記戸パネルの所定の移動位置において前記ストライカを捕捉可能であり、当該捕捉後に前記戸パネルの所定の移動終了位置まで前記戸パネルの移動をアシストするようになっているアシスト機構と、
を備えた引き戸のアシスト装置であって、
前記ガイドレールは、当該ガイドレール内において互いに対向するように突出する一対の棚状補助レールを有しており、
前記ストライカは、前記一対の棚状支持レールの下面に倣う挟持下部を有しており、
前記挟持下部と、前記一対の棚状支持レールの上面に倣う挟持上部材とで、前記一対の棚状補助レールを挟持することにより、前記ストライカを前記一対の棚状支持レールの任意の位置に固定可能である
ことを特徴とする引き戸のアシスト装置。
【請求項２】
前記挟持下部と前記挟持上部材とによる前記一対の棚状支持レールの挟持のために、ネジが設けられており、
前記挟持下部には、当該ネジに対応する貫通孔が設けられ、
前記挟持上部材には、当該ネジに対応するネジ孔が設けられている
ことを特徴とする請求項１に記載の引き戸のアシスト装置。
【請求項３】
前記ガイドレールは、上方側に突出する断面コ字状の補助レールを有しており、
前記一対の棚状支持レールは、前記補助レールの内部に設けられている
ことを特徴とする請求項１または２に記載の引き戸のアシスト装置。
【請求項４】
前記ガイドレールと前記補助レールとは、一体に形成されている
ことを特徴とする請求項３に記載の引き戸のアシスト装置。
【請求項５】
戸パネルの移動を案内するガイドレールと、
前記ガイドレールに設けられたストライカと、
前記戸パネルに連結可能であって前記戸パネルの所定の移動位置において前記ストライカを捕捉可能であり、当該捕捉後に前記戸パネルの所定の移動終了位置まで前記戸パネルの移動をアシストするようになっているアシスト機構と、
を備えた引き戸のアシスト装置であって、
前記ガイドレールは、当該ガイドレール内において互いに背を向け合うように突出する一対の棚状補助レールを有しており、
前記ストライカは、前記一対の棚状支持レールの上面に倣う一対の挟持上部と、当該一対の挟持上部から吊り下がって互いを連絡する連絡部と、を有しており、
前記連絡部を、前記一対の棚状支持レールの下面または前記一対の棚状支持レールが設けられた前記ガイドレールの面に対して離間させるよう付勢することにより、前記ストライカを前記一対の棚状支持レールの任意の位置に固定可能である
ことを特徴とする引き戸のアシスト装置。
【請求項６】
前記連絡部を前記一対の棚状支持レールの下面または前記一対の棚状支持レールが設けられた前記ガイドレールの面に対して離間させるよう付勢するために、ネジが設けられており、
前記連絡部には、当該ネジに対応するネジ孔が設けられている
ことを特徴とする請求項５に記載の引き戸のアシスト装置。
【発明の詳細な説明】
【技術分野】
【０００１】
本発明は、引き戸のアシスト装置に関する。
【背景技術】
【０００２】
引き戸のアシスト装置は、引き戸の戸パネルが静かに滑らかに全開位置ないし全閉位置に移動することをアシストするために、従来より広く用いられている。
【０００３】
従来の引き戸のアシスト装置について、図９及び図１０を参照しながら説明する。図９及び図１０は、特許文献１の図１及び図２を引用するものである。図９及び図１０に示す従来の引き戸のアシスト装置５０では、戸パネル５７が固定されたプーリセット５２がハンガーレール５１に沿って移動可能になっていて、当該プーリセット５２にダンパ６０が接続されている。そして、ハンガーレール５１の天井面の所定位置からストライカ（ダンパ連結部材とも呼ばれる）５５が下方側に突出していて、ダンパ６０の捕捉部６１が当該ストライカ５５を通過する際に当該ストライカ５５を捕捉（係合）するようになっている。当該捕捉後に、ダンパ６０が戸パネル５７の全閉位置まで戸パネル５７の静かで滑らかな移動をアシストするようになっている。
【先行技術文献】
【特許文献】
【０００４】
【特許文献１】ＣＮ２０１５４６５６３Ｕ
【発明の概要】
【発明が解決しようとする課題】
【０００５】
特許文献１には、ハンガーレール５１の天井面においてストライカ５５の位置を移動可能とすることに言及がある。
【０００６】
しかしながら、特許文献１には、ハンガーレール５１の天井面においてストライカ５５の位置を移動可能とするための具体的な構成について、十分な開示がなされていない。当業者といえども、特許文献１の記載内容に基づいて如何なる構成を採用すべきであるのか、少なくとも容易には想到できない。
【０００７】
本発明は、以上の知見に基づいて創案されたものである。本発明の目的は、ストライカの位置を容易に移動することができるような引き戸のアシスト装置を提供することである。
【課題を解決するための手段】
【０００８】
本発明は、戸パネルの移動を案内するガイドレールと、前記ガイドレールに設けられたストライカと、前記戸パネルに連結可能であって前記戸パネルの所定の移動位置において前記ストライカを捕捉可能であり、当該捕捉後に前記戸パネルの所定の移動終了位置まで前記戸パネルの移動をアシストするようになっているアシスト機構と、を備えた引き戸のアシスト装置であって、前記ガイドレールは、当該ガイドレール内において互いに対向するように突出する一対の棚状補助レールを有しており、前記ストライカは、前記一対の棚状支持レールの下面に倣う挟持下部を有しており、前記挟持下部と、前記一対の棚状支持レールの上面に倣う挟持上部材とで、前記一対の棚状補助レールを挟持することにより、前記ストライカを前記一対の棚状支持レールの任意の位置に固定可能であることを特徴とする引き戸のアシスト装置である。
【０００９】
本発明によれば、ガイドレール内において互いに対向するように突出する一対の棚状補助レールを、ストライカの挟持下部と挟持上部材とで挟持するという構成を採用したことにより、ストライカを一対の棚状支持レールの任意の位置に固定可能である。従って、ストライカの位置を容易に移動、調整することができる。
【００１０】
例えば、挟持下部と挟持上部材とによる一対の棚状支持レールの挟持のために、ネジが用いられ得る。この場合には、挟持下部には、当該ネジに対応する貫通孔が設けられ、挟持上部材には、当該ネジに対応するネジ孔が設けられる。ネジによって挟持力の調整が容易である一方、ネジ先端は浮いた状態を維持することができるため、ネジ先端の跡が残ってネジ先端の「ひっかかり」を生じさせてストライカの微小距離移動（微調整）が妨げられるという虞もない。
【００１１】
好ましくは、ガイドレールが上方側に突出する断面コ字状の補助レールを有していて、一対の棚状支持レールは当該補助レールの内部に設けられる。この場合、組付けが容易で、設計自由度が高く、従来のガイドレール構造と干渉を引き起こす虞も小さい。また、この場合、製造コストの観点からは、ガイドレールと補助レールとが一体形成されることが好ましい。
【００１２】
あるいは、本発明は、戸パネルの移動を案内するガイドレールと、前記ガイドレールに設けられたストライカと、前記戸パネルに連結可能であって前記戸パネルの所定の移動位置において前記ストライカを捕捉可能であり、当該捕捉後に前記戸パネルの所定の移動終了位置まで前記戸パネルの移動をアシストするようになっているアシスト機構と、を備えた引き戸のアシスト装置であって、前記ガイドレールは、当該ガイドレール内において互いに背を向け合うように突出する一対の棚状補助レールを有しており、前記ストライカは、前記一対の棚状支持レールの上面に倣う一対の挟持上部と、当該一対の挟持上部から吊り下がって互いを連絡する連絡部と、を有しており、前記連絡部を、前記一対の棚状支持レールの下面または前記一対の棚状支持レールが設けられた前記ガイドレールの面に対して離間させるよう付勢することにより、前記ストライカを前記一対の棚状支持レールの任意の位置に固定可能であることを特徴とする引き戸のアシスト装置である。
【００１３】
本発明によれば、ストライカの連絡部を、ガイドレール内において互いに背を向け合うように突出する一対の棚状支持レールの下面、または、一対の棚状支持レールが設けられた前記ガイドレールの面に対して離間させるよう付勢するという構成を採用したことにより、ストライカを一対の棚状支持レールの任意の位置に固定可能である。従って、ストライカの位置を容易に移動、調整することができる。
【００１４】
例えば、連絡部を一対の棚状支持レールの下面または一対の棚状支持レールが設けられたガイドレールの面に対して離間させるよう付勢するために、ネジが用いられ得る。この場合には、連絡部には、当該ネジに対応するネジ孔が設けられる。
【発明の効果】
【００１５】
本発明によれば、ガイドレール内において互いに対向するように突出する一対の棚状補助レールを、ストライカの挟持下部と挟持上部材とで挟持するという構成を採用したことにより、ストライカを一対の棚状支持レールの任意の位置に固定可能である。従って、ストライカの位置を容易に移動、調整することができる。
【００１６】
あるいは、本発明によれば、ストライカの連絡部を、ガイドレール内において互いに背を向け合うように突出する一対の棚状支持レールの下面、または、一対の棚状支持レールが設けられた前記ガイドレールの面に対して離間させるよう付勢するという構成を採用したことにより、ストライカを一対の棚状支持レールの任意の位置に固定可能である。従って、ストライカの位置を容易に移動、調整することができる。
【図面の簡単な説明】
【００１７】
【図１】本発明の一実施の形態の引き戸のアシスト装置の概略斜視図である。
【図２】図１のＡ部の拡大図である。
【図３】ストライカと、挟持上部材と、ネジと、を示す展開図である。
【図４】図１の引き戸のアシスト装置の概略正面図である。
【図５】図４のＣ部の拡大図である。
【図６】本発明の他の実施の形態の引き戸のアシスト装置のストライカの概略斜視図である。
【図７】図６のタイプのストライカが一対の棚状補助レールに固定された状態を示す概略図である。
【図８】図６のタイプのストライカが他の一対の棚状補助レールに固定された状態を示す概略図である。
【図９】従来の引き戸のアシスト装置の概略斜視図である。
【図１０】図９の要部の拡大図である。
【発明を実施するための形態】
【００１８】
以下に、添付の図面を参照して、本発明の実施の形態を詳細に説明する。
【００１９】
図１は、本発明の一実施の形態の引き戸のアシスト装置（一部を切り欠いてある）の概略斜視図である。図２は、図１のＡ部の拡大図である。図３は、ストライカと、挟持上部材と、ネジと、を示す展開図である。図４は、図１の引き戸のアシスト装置の概略正面図である。図５は、図４のＣ部の拡大図である。
【００２０】
図１及び図２に示すように、本実施の形態の引き戸のアシスト装置２０では、不図示の戸パネルが固定されるプーリセット２がガイドレール１に沿って移動可能になっていて、当該プーリセット２にダンパ１０が連結されている。そして、ガイドレール１の天井面の所定位置（後述するように容易に移動可能）からストライカ（ダンパ連結部材とも呼ばれる）５が下方側に突出していて、ダンパ１０の捕捉部１１が当該ストライカ５を通過する際に当該ストライカ５を捕捉（係合）するようになっている。当該捕捉後に、ダンパ１０が、アシスト機構として、戸パネルの全閉位置まで戸パネルの静かで滑らかな移動をアシストするようになっている。
【００２１】
そして、本実施の形態においては、図３乃至図５にも示す通り、ガイドレール１が、当該ガイドレール１内において互いに対向するように突出する一対の棚状補助レール１ａ、１ｂを有しており、ストライカ５は、一対の棚状支持レール１ａ、１ｂの下面に倣う挟持下部５ｕを有している。本実施の形態では、一対の棚状支持レール１ａ、１ｂの下面が平面であることから、挟持下部５ｕは板状となっている。すなわち、特に図３に示すように、ストライカ５は、ダンパ１０の捕捉部１１に捕捉される本体部５ｍが、挟持下部５ｕから下方に突出するような形状を有している。
【００２２】
また、板状の挟持下部５ｕに対向するように、挟持上部材６が設けられている。挟持上部材６は、一対の棚状支持レール１ａ、１ｂの上面に倣う形態を有している。本実施の形態では一対の棚状支持レール１ａ、１ｂの上面が平面であることから、挟持上部材６も板状となっている。
【００２３】
以上のような構成により、挟持下部５ｕと挟持上部材６とで一対の棚状補助レール１ａ、１ｂを挟持することによって、ストライカ５を一対の棚状支持レール１ａ、１ｂの任意の位置に固定可能となっている。
【００２４】
本実施の形態では、挟持下部５ｕと挟持上部材６とによる一対の棚状支持レール１ａ、１ｂの挟持のために、４本のネジ８が用いられている。挟持下部５ｕには、これらのネジ８に対応する貫通孔が設けられており、挟持上部材６には、これらのネジ８に対応するネジ孔（雌ネジ孔）が設けられている。特に図４及び図５から明らかな通り、一対の棚状支持レール１ａ、１ｂの互いの間隔は、ネジ８の直径よりも十分に大きくなっていて、ネジ８を締めたり緩めたりすることに一対の棚状支持レール１ａ、１ｂが干渉することが無いようになっている。
【００２５】
また、本実施の形態では、ガイドレール１は、上方側に突出する断面コ字状の補助レール１ｋを有しており、一対の棚状支持レール１ａ、１ｂは、補助レール１ｋの内部に設けられている。本実施の形態では、ガイドレール１と補助レール１ｋと一対の棚状支持レール１ａ、１ｂとは、一体に形成されている。
【００２６】
以上のような本実施の形態によれば、ガイドレール１内において互いに対向するように突出する一対の棚状補助レール１ａ、１ｂを、ストライカ５の挟持下部５ｕと挟持上部材６とで挟持するという構成を採用したことにより、ストライカ５を一対の棚状支持レール１ａ、１ｂのレール延伸方向の任意の位置に固定可能である。すなわち、ストライカ５の位置を容易に移動、調整することができる。
【００２７】
また、本実施の形態では、挟持下部５ｕと挟持上部材６とによる一対の棚状支持レール１ａ、１ｂの挟持のために４本のネジ８が用いられているため、ネジ８を緩めることによって挟持力を緩めた状態で、ストライカ５を一対の棚状支持レール１ａ、１ｂに沿うように移動させることが容易である。また、ネジ８の先端は浮いた状態を維持できるため、ネジ８の先端の跡がガイドレール１の面上等に残ってネジ８の先端の「ひっかかり」を生じさせてストライカ５の微小距離移動（微調整）が妨げられるという虞もない。
【００２８】
また、本実施の形態では、ガイドレール１が上方側に突出する断面コ字状の補助レール１ｋを有していて、一対の棚状支持レール１ａ、１ｂが当該補助レール１ｋの内部に設けられているため、組付けが容易で、設計自由度が高く、従来のガイドレール構造と干渉を引き起こす虞も小さい。また、ガイドレール１と補助レール１ｋと一対の棚状支持レール１ａ、１ｂとが一体形成されていることは、製造コストの点で有利である。
【００２９】
以上の実施の形態においては、ストライカ５の本体部５ｍを挟んで２本ずつ計４本のネジ８が用いられているが、ストライカ５の本体部５ｍを挟んで１本ずつ計２本のネジ８のみで挟持させる態様も、当然に採用可能である。また、挟持上部材６は、必ずしも一体部材である必要はなく、ネジ８の各々に対応する複数の角ナットによって置換されてもよい。
【００３０】
次に、図６は、本発明の他の実施の形態の引き戸のアシスト装置のストライカの概略斜視図である。図７は、図６のタイプのストライカが一対の棚状補助レールに固定された状態を示す概略図である。
【００３１】
本実施の形態においても、全体的な構成及び動作は、図１及び図２を用いて説明した前記実施の形態と同様である。但し、本実施の形態においては、図６及び図７に示す通り、ガイドレール１が、当該ガイドレール１内において互いに背を向け合うように突出する一対の棚状補助レール１ｃ、１ｄを有しており、ストライカ５は、一対の棚状支持レール１ｃ、１ｄの上面に倣う一対の挟持上部５ａ、５ｂと、一対の挟持上部５ａ、５ｂから吊り下がって互いを連絡する連絡部５ｃと、を有している。本実施の形態では、一対の棚状支持レール１ｃ、１ｄの上面が平面であることから、挟持上部５ａ、５ｂは板状（細長板状）となっている。そして、連絡部５ｃが断面コ字状に形成されていて、ストライカ５は、ダンパ１０の捕捉部１１に捕捉される本体部５ｍが連絡部５ｃから下方に突出するような形状を有している。
【００３２】
以上のような構成により、連絡部５ｃを一対の棚状支持レール１ｃ、１ｄの下面に対して離間させるよう付勢することによって、ストライカ５を一対の棚状支持レール１ｃ、１ｄのレール延伸方向の任意の位置に固定可能となっている。
【００３３】
本実施の形態では、連絡部５ｃを一対の棚状支持レール１ｃ、１ｄの下面に対して離間させるよう付勢するために、２本のネジ８が設けられている。連絡部５ｃには、当該ネジ８に対応するネジ孔（雌ネジ孔）が設けられている。
【００３４】
以上のような本実施の形態によれば、ストライカ５の連絡部５ｃを、ガイドレール１内において互いに背を向け合うように突出する一対の棚状支持レール１ｃ、１ｄの下面に対して離間させるよう付勢するという構成を採用したことにより、ストライカ５を一対の棚状支持レール１ｃ、１ｄの任意の位置に固定可能である。従って、ストライカ５の位置を容易に移動、調整することができる。
【００３５】
また、本実施の形態では、連絡部５ｃを一対の棚状支持レール１ｃ、１ｄの下面に対して離間させるよう付勢するために２本のネジ８が設けられているため、当該離間距離が短くなるようにネジ８を回すことによってネジ８の先端を一対の棚状支持レール１ｃ、１ｄの下面から離間（当接解除）させることができ、その状態で、ストライカ５を一対の棚状支持レール１ｃ、１ｄに沿うように移動させることが容易である。
【００３６】
図８は、図６のタイプのストライカが他の一対の棚状補助レールに固定された状態を示す概略図である。一対の棚状支持レール１ｃ、１ｄが互いから離れていて、それらの間にガイドレール１の面（一対の棚状支持レール１ｃ、１ｄが設けられている面）が存在しており、ネジ８の先端が一対の棚状支持レール１ｃ、１ｄの下面ではなくて当該ガイドレール１の面に当接するようになっている。その他の構成については、図６及び図７を用いて説明した実施の形態と同様である。
【００３７】
図８に示すような実施の形態によっても、ストライカ５の連絡部５ｃを、ガイドレール１内において互いに背を向け合うように突出する一対の棚状支持レール１ｃ、１ｄが設けられたガイドレール１の下面に対して離間させるよう付勢するという構成を採用したことにより、ストライカ５を一対の棚状支持レール１ｃ、１ｄの任意の位置に固定可能である。従って、ストライカ５の位置を容易に移動、調整することができる。
【符号の説明】
【００３８】
１  ガイドレール
１ａ、１ｂ  一対の棚状補助レール
１ｃ、１ｄ  一対の棚状補助レール
１ｋ  補助レール
２  プーリセット
５  ストライカ
５ｍ  本体部
５ｕ  挟持下部
５ａ、５ｂ  一対の挟持上部
５ｃ  連絡部（断面コ字状）
６  挟持上部材
８  ネジ
１０  ダンパ
１１  捕捉部
２０  引き戸のアシスト装置
５０  従来の引き戸のアシスト装置
５１  ハンガーレール
５２  プーリセット
５５  ストライカ
５７  戸パネル
６０  ダンパ
６１  捕捉部
【図１】
2014098262.tif 000003
【図２】
2014098262.tif 000004
【図３】
2014098262.tif 000005
【図４】
2014098262.tif 000006
【図５】
2014098262.tif 000007
【図６】
2014098262.tif 000008
【図７】
2014098262.tif 000009
【図８】
2014098262.tif 000010
【図９】
2014098262.tif 000011
【図１０】
2014098262.tif 000012